(57)【要約】【課題】屋根の上面の傾斜の有無にかかわらず設置することができる防鳥装置を提供する。【解決手段】ソーラーパネルＳの端縁フレームＳ2 に沿って所定の間隔Ｌをもって複数設置される防鳥ネット保持具２を有する。保持具２は、上水平壁部と垂下壁部を有する倒立Ｌ字型上金具５と、下水平壁部と垂直起立壁部を有するＬ字型下金具とを備える。下金具の垂直起立壁部から水平方向外方へボルト杆９を突設し、垂下壁部が、ボルト杆が差込まれる長孔10を有し、上金具５が下金具に対して上下スライド自在である。ボルト杆９にナットを螺合し、ナットと垂下壁部によって、防鳥ネット１を挟持し、しかも、防鳥ネット１を垂下状として屋根Ｙの上面Ｙ1 に当接して下端１ａが外側へ弯曲するように構成する。【選択図】図１
2019208451.tif 000002
【特許請求の範囲】
【請求項１】
屋根（Ｙ）の上面（Ｙ1 ）と、該屋根（Ｙ）の上面（Ｙ1 ）に設置されたソーラーパネル（Ｓ）の下面（Ｓ1 ）との間の空間（Ａ）へ、鳥類が侵入するのを防止するために、上記ソーラーパネル（Ｓ）の端縁フレーム（Ｓ2 ）と、上記屋根（Ｙ）の上面（Ｙ1 ）との間隙部（Ｅ）を遮断する防鳥ネット（１）を備えた防鳥装置に於て、
上記ソーラーパネル（Ｓ）の端縁フレーム（Ｓ2 ）に沿って所定の間隔（Ｌ）をもって複数設置される防鳥ネット保持具（２）を有し、
該保持具（２）は、上水平壁部（３）と垂下壁部（４）を有する倒立Ｌ字型上金具（５）と、下水平壁部（６）と垂直起立壁部（７）を有するＬ字型下金具（８）とを備え、
上記下金具（８）の垂直起立壁部（７）から水平方向外方へボルト杆（９）を突設し、上記垂下壁部（４）が、上記ボルト杆（９）が差込まれる長孔（10）を有し、上記上金具（５）が上記下金具（８）に対して上下スライド自在であって、
上記ボルト杆（９）にナット（11）を螺合し、該ナット（11）と上記垂下壁部（４）によって、防鳥ネット（１）を挟持し、しかも、防鳥ネット（１）を垂下状として屋根（Ｙ）の上面（Ｙ1 ）に当接して下端（１ａ）が外側へ弯曲するように構成したことを特徴とする防鳥装置。
【請求項２】
上記上金具（５）の上水平壁部（３）の下面（３ａ）、及び、上記下金具（８）の下水平壁部（６）の上面（６ａ）に、接着手段（Ｚ）を有する請求項１記載の防鳥装置。
【請求項３】
上記上金具（５）の上水平壁部（３）の下面（３ａ）、上記下金具（８）の下水平壁部（６）の上面（６ａ）及び垂直起立壁部（７）の内面（７ａ）に、接着手段（Ｚ）を有する請求項１記載の防鳥装置。
【請求項４】
上記上金具（５）の上水平壁部（３）が、ネジ孔（12）を有し、ソーラーパネル（Ｓ）の端縁フレーム（Ｓ2 ）を押圧する止めネジ（13）が該ネジ孔（12）に螺合されている請求項１，２又は３記載の防鳥装置。
【発明の詳細な説明】
【技術分野】
【０００１】
本発明は、防鳥装置に関する。
【背景技術】
【０００２】
一般に、屋根の上面にソーラーパネル（太陽光パネル、太陽電池パネル）を設置する場合、屋根の上面とソーラーパネルの下面との間に空間が存在する（例えば、特許文献１参照）。しかし、上記空間に鳥が巣を作り、鳥がソーラーパネルの上面に糞をすることにより、発電効率が低下するという問題があった。そこで、ソーラーパネルの端縁フレームと、屋根の上面との間隙部（すなわち上記空間への入口部）を防鳥ネットにて遮蔽する。本出願人は、以前、防鳥ネットを挟持する防鳥ネット保持具を有する防鳥装置を提案した（特願２０１７−１８３３１３参照）。
【先行技術文献】
【特許文献】
【０００３】
【特許文献１】特開２０１５−１５８１０５号公報
【発明の概要】
【発明が解決しようとする課題】
【０００４】
しかし、特許文献２記載の防鳥装置は、端縁フレームＳ2 と屋根Ｙの上面Ｙ1 との間に上下突っ張り力を発生させるものであり、図12に示すように、載置板30が水平状なので、屋根Ｙの上面Ｙ1 が傾斜状の場合、あるいは、上面Ｙ1 が凹凸波形であってその傾斜箇所には、設置することができないという欠点がある。そこで、本発明は、屋根の上面の傾斜の有無にかかわらず設置することができる防鳥装置を提供することを目的とする。
【課題を解決するための手段】
【０００５】
そこで、本発明に係る防鳥装置は、屋根の上面と、該屋根の上面に設置されたソーラーパネルの下面との間の空間へ、鳥類が侵入するのを防止するために、上記ソーラーパネルの端縁フレームと、上記屋根の上面との間隙部を遮断する防鳥ネットを備えた防鳥装置に於て、上記ソーラーパネルの端縁フレームに沿って所定の間隔をもって複数設置される防鳥ネット保持具を有し、該保持具は、上水平壁部と垂下壁部を有する倒立Ｌ字型上金具と、下水平壁部と垂直起立壁部を有するＬ字型下金具とを備え、上記下金具の垂直起立壁部から水平方向外方へボルト杆を突設し、上記垂下壁部が、上記ボルト杆が差込まれる長孔を有し、上記上金具が上記下金具に対して上下スライド自在であって、上記ボルト杆にナットを螺合し、該ナットと上記垂下壁部によって、防鳥ネットを挟持し、しかも、防鳥ネットを垂下状として屋根の上面に当接して下端が外側へ弯曲するように構成したものである。
【０００６】
また、上記上金具の上水平壁部の下面、及び、上記下金具の下水平壁部の上面に、接着手段を有するものである。
また、上記上金具の上水平壁部の下面、上記下金具の下水平壁部の上面及び垂直起立壁部の内面に、接着手段を有するものである。
また、上記上金具の上水平壁部が、ネジ孔を有し、ソーラーパネルの端縁フレームを押圧する止めネジが該ネジ孔に螺合されているものである。
【発明の効果】
【０００７】
本発明の防鳥装置によれば、屋根の上面の傾斜の有無にかかわらず設置することができる。また、ソーラーパネルの端縁フレームの上下厚さ寸法に対応して、確実かつ強固に取着できる。
【図面の簡単な説明】
【０００８】
【図１】本発明の第１の実施の形態の使用状態を示す使用状態説明斜視図である。
【図２】要部拡大断面正面図である。
【図３】要部拡大断面正面図である。
【図４】第１の実施の形態を示す斜視図である。
【図５】斜視図である。
【図６】第２の実施の形態の使用状態を示す断面側面図である。
【図７】分解図である。
【図８】第３の実施の形態の使用状態を示す断面側面図である。
【図９】第４の実施の形態の使用状態を示す断面側面図である。
【図１０】第５の実施の形態の使用状態を示す断面側面図である。
【図１１】第５の実施の形態を示す斜視図である。
【図１２】従来例を示す断面側面図である。
【発明を実施するための形態】
【０００９】
以下、図示の実施の形態に基づいて本発明を詳説する。
図１・図２は、本発明の第１の実施の形態の使用状態を示す。この防鳥装置は、屋根Ｙの上面Ｙ1 と、屋根Ｙの上面Ｙ1 に設置されたソーラーパネル（太陽光モジュール）Ｓの下面Ｓ1 との間の空間Ａへ、鳥類が侵入するのを防止するために、ソーラーパネルＳの端縁フレームＳ2 と、屋根Ｙの上面Ｙ1 との間隙部Ｅを遮断する金属製防鳥ネット１を備える。
【００１０】
ソーラーパネルＳの端縁フレームＳ2 に沿って所定の間隔Ｌをもって複数設置される防鳥ネット保持具２を有する。図４・図５に示すように、保持具２は、上水平壁部３と垂下壁部４を有する（端縁フレームＳ2 の上面当接用）倒立Ｌ字型上金具５と、下水平壁部６と垂直起立壁部７を有する（端縁フレームＳ2 の下面当接用）Ｌ字型下金具８とを備える。
【００１１】
下金具８の垂直起立壁部７から水平方向外方へボルト杆９を突設し、垂下壁部４が、ボルト杆９が差込まれる長孔10を有し、上金具５が下金具８に対して上下スライド自在である。ボルト杆９にナット11を螺合し、ナット11と垂下壁部４によって（ワッシャ14を介して）防鳥ネット１を挟持し、しかも、防鳥ネット１を垂下状として屋根Ｙの上面Ｙ1 に当接して下端１ａが外側へ弯曲するように構成する。
【００１２】
図２に示すようにソーラーパネルＳの厚さ寸法Ｔが大きい場合、及び、図３に示すようにソーラーパネルＳの厚さ寸法Ｔが小さい場合のいずれにも（無段階に）対応させて、ソーラーパネルＳの端縁フレームＳ2 （図１参照）を掴持（挟持）することができる。
【００１３】
図６・図７は、第２の実施の形態を示す。上金具５の上水平壁部３が、ネジ孔12を有し、ソーラーパネルＳの端縁フレームＳ2 を押圧する止めネジ13がネジ孔12に螺合されている。上金具５及び下金具８にて端縁フレームＳ2 を掴持した状態で、止めネジ13を螺進させて、保持具２を一層確実に端縁フレームＳ2 に取着する。その他の構成は、第１の実施の形態と同様である。
【００１４】
図８は、第３の実施の形態を示す。上金具５の上水平壁部３の下面３ａ、及び、下金具８の下水平壁部６の上面６ａに、接着手段Ｚを有する。接着手段Ｚとしては、粘着による場合を含むと定義する。接着手段Ｚは、例えば、接着剤、両面テープ等から成る。その他の構成は、第１の実施の形態と同様である。
【００１５】
図９は、第４の実施の形態を示す。上金具５の上水平壁部３の下面３ａ、下金具８の下水平壁部６の上面６ａ及び垂直起立壁部７の内面７ａに、接着手段Ｚを有する。その他の構成は、第１の実施の形態と同様である。
【００１６】
図10・図11は、第５の実施の形態を示す。保持具２が、垂直壁部21及び水平壁部22を有するＬ字型の保持具本体23を備える。垂直壁部21から水平方向外方へボルト杆24を突設するとともに、ボルト杆24に螺合するナット25を備える。水平壁部22の内面22ａ、及び、垂直壁部21の内面21ａに、接着手段Ｚを有する。簡易な構成でありながら、防鳥ネット１を確実にソーラーパネルＳの端縁フレームＳ2 に取着することができる。なお、水平壁部22をソーラーパネルＳの上面側となるように、上下反転させて設置するも良い（図示省略）。
【００１７】
なお、本発明に於て、「上金具」及び「下金具」には、（金属製のもののみならず、）エンジニアリングプラスチック等の樹脂製のものも含むものとする。
本発明は、設計変更可能であって、例えば、第３の実施の形態の上金具５の上水平壁部３が、ネジ孔12を有し、ソーラーパネルＳの端縁フレームＳ2 を押圧する止めネジ13をネジ孔12に螺合する構成とするも良い。また、第４の実施の形態の上金具５の上水平壁部３が、ネジ孔12を有し、ソーラーパネルＳの端縁フレームＳ2 を押圧する止めネジ13をネジ孔12に螺合する構成とするも良い。また、防鳥ネット１を樹脂製とするも良い。
【００１８】
以上のように、本発明は、屋根Ｙの上面Ｙ1 と、該屋根Ｙの上面Ｙ1 に設置されたソーラーパネルＳの下面Ｓ1 との間の空間Ａへ、鳥類が侵入するのを防止するために、上記ソーラーパネルＳの端縁フレームＳ2 と、上記屋根Ｙの上面Ｙ1 との間隙部Ｅを遮断する防鳥ネット１を備えた防鳥装置に於て、上記ソーラーパネルＳの端縁フレームＳ2 に沿って所定の間隔Ｌをもって複数設置される防鳥ネット保持具２を有し、該保持具２は、上水平壁部３と垂下壁部４を有する倒立Ｌ字型上金具５と、下水平壁部６と垂直起立壁部７を有するＬ字型下金具８とを備え、上記下金具８の垂直起立壁部７から水平方向外方へボルト杆９を突設し、上記垂下壁部４が、上記ボルト杆９が差込まれる長孔10を有し、上記上金具５が上記下金具８に対して上下スライド自在であって、上記ボルト杆９にナット11を螺合し、該ナット11と上記垂下壁部４によって、防鳥ネット１を挟持し、しかも、防鳥ネット１を垂下状として屋根Ｙの上面Ｙ1 に当接して下端１ａが外側へ向くように弯曲するように構成したので、（ソーラーパネルＳの端縁フレームＳ2 と、屋根Ｙの上面Ｙ1 との間で突張るものではなく、）屋根Ｙの上面Ｙ1 の傾斜の有無にかかわらず（様々な屋根Ｙの上面形状に対応して）設置することができる。特に、瓦屋根にも設置することができる。また、ソーラーパネルＳの端縁フレームＳ2 の上下厚さ寸法Ｔに対応して、確実かつ強固に取着できる。また、台風にも耐える。そして、長期間にわたって使用することができる。
【００１９】
また、上記上金具５の上水平壁部３の下面３ａ、及び、上記下金具８の下水平壁部６の上面６ａに、接着手段Ｚを有するので、位置ズレを防止できて、ソーラーパネルＳの端縁フレームＳ2 に確実に固着することができる。
【００２０】
また、上記上金具５の上水平壁部３の下面３ａ、上記下金具８の下水平壁部６の上面６ａ及び垂直起立壁部７の内面７ａに、接着手段Ｚを有するので、位置ズレを防止できて、ソーラーパネルＳの端縁フレームＳ2 により確実に固着することができる。
【００２１】
また、上記上金具５の上水平壁部３が、ネジ孔12を有し、ソーラーパネルＳの端縁フレームＳ2 を押圧する止めネジ13が該ネジ孔12に螺合されているので、ソーラーパネルＳの端縁フレームＳ2 に一層確実に固着することができる。即ち、止めネジ13の締込みによる簡易クランプ機能を有する。
【符号の説明】
【００２２】
１  防鳥ネット
１ａ  下端
２  （防鳥ネット）保持具
３  上水平壁部
３ａ  下面
４  垂下壁部
５  （倒立Ｌ字型）上金具
６  下水平壁部
６ａ  上面
７  垂直起立壁部
７ａ  内面
８  （Ｌ字型）下金具
９  ボルト杆
10  長孔
11  ナット
12  ネジ孔
13  止めネジ
Ａ  空間
Ｅ  間隙部
Ｌ  所定の間隔
Ｓ  ソーラーパネル
Ｓ1   下面
Ｓ2   端縁フレーム
Ｙ  屋根
Ｙ1   上面
Ｚ  接着手段
【図１】
2019208451.tif 000003
【図２】
2019208451.tif 000004
【図３】
2019208451.tif 000005
【図４】
2019208451.tif 000006
【図５】
2019208451.tif 000007
【図６】
2019208451.tif 000008
【図７】
2019208451.tif 000009
【図８】
2019208451.tif 000010
【図９】
2019208451.tif 000011
【図１０】
2019208451.tif 000012
【図１１】
2019208451.tif 000013
【図１２】
2019208451.tif 000014